(57)【要約】【課題】浴槽側壁と浴槽フランジとがなすコーナー部を補強する補強材と、断熱材とを浴槽に同時に取付けすることができて、補強材を通して浴槽の熱が放熱されることを防ぐことのできる断熱浴槽を提供する。【解決手段】本発明の断熱浴槽は、側壁用断熱材１ｂの少なくとも上部に補強材２を設け、該補強材２の上端部にフランジ支持部２ａを設けると共に、該補強材２の浴槽側壁３に対向する部分に浴槽側壁対向部２ｂを設け、浴槽側壁３の外面に該側壁用断熱材１ｂを重ねて取付け、該フランジ支持部２ａを浴槽フランジ３ａ下面に当接させ、該浴槽側壁対向部２ｂを浴槽側壁３ｂに重ね合わせて取付けてなる。また、補強材２を設けた部分は、浴槽側壁３ｂに、浴槽側壁用断熱材１ｂと、補強材２とを重ねた三層構造になっている。【選択図】図１
2010273738.tif 000002
【特許請求の範囲】
【請求項１】
側壁用断熱材の少なくとも上部に補強材を設け、該補強材の上端部にフランジ支持部を設けると共に、該補強材の浴槽側壁に対向する部分に浴槽側壁対向部を設け、浴槽側壁の外面に該側壁用断熱材を重ねて取付け、該フランジ支持部を浴槽フランジ下面に当接させ、該浴槽側壁対向部を浴槽側壁に重ね合わせて取付けてなることを特徴とする断熱浴槽。
【請求項２】
前記補強材を設けた部分は、浴槽側壁に、浴槽側壁断熱材と、補強材とを重ねた三層構造になっていることを特徴とする請求項１記載の断熱浴槽。
【発明の詳細な説明】
【技術分野】
【０００１】
本発明は、浴槽裏面に断熱材を取付けた断熱浴槽に関するものである。
【背景技術】
【０００２】
従来から、図３（ａ）に示すような浴槽３の裏面を断熱材１で覆う断熱浴槽が提案されている（特許文献１参照。）。入浴者は、入浴の際に浴槽フランジ３ａに腰掛けたり、浴槽側壁３ｂに凭れたりするので、このような浴槽においても、浴槽フランジ３ａや浴槽側壁３ｂを補強する構造を設けることが好ましい。
【０００３】
そこで、図３（ｂ）に示すような、浴槽３の浴槽側壁３ｂと浴槽フランジ３ａとがなすコーナー部に補強材２を取り付け、補強材２を設けた箇所以外の浴槽３の裏面に断熱材１を取り付けた断熱浴槽が提案されている。
【０００４】
しかし、このような浴槽３においては、浴槽３に補強材２と断熱材１を取り付ける作業が分かれてしまって効率が悪いという問題があった。また、浴槽３への補強材２の取付位置がずれると、予め補強材２用の空所４を設けている断熱材１が、浴槽３に取り付けられなくなってしまうという問題があった。
【０００５】
また、浴槽３に取り付けた補強材２を通して、浴槽３の熱が放熱されてしまって、断熱性が悪いという問題があった。
【先行技術文献】
【特許文献】
【０００６】
【特許文献１】特開２００６−１１０１９９号公報
【発明の概要】
【発明が解決しようとする課題】
【０００７】
本発明は、浴槽側壁と浴槽フランジとを補強する補強材と、断熱材とを浴槽側壁に同時に取付けすることができて、補強材を通して浴槽の熱が放熱されることを防ぐことのできる断熱浴槽を提供することを課題とする。
【課題を解決するための手段】
【０００８】
上記課題を解決するための本発明の断熱浴槽は、側壁用断熱材１ｂの少なくとも上部に補強材２を設け、該補強材２の上端部にフランジ支持部２ａを設けると共に、該補強材２の浴槽側壁３ｂに対向する部分に浴槽側壁対向部２ｂを設け、浴槽側壁３ｂの外面に該側壁用断熱材１ｂを重ねて取付け、該フランジ支持部２ａを浴槽フランジ３ａ下面に当接させ、該浴槽側壁対向部２ｂを浴槽側壁３ｂに重ね合わせて取付けてなることを特徴とする。
【０００９】
このような構成とすることで、側壁用断熱材１ｂを、浴槽側壁３ｂに重ねて取付けるだけで、浴槽側壁３ｂと浴槽フランジ３ａとを補強する補強材２と、側壁用断熱材１ｂとを浴槽側壁３ｂに同時に取付けることができる。
【００１０】
また、前記補強材２を設けた部分は、浴槽側壁３ｂに、浴槽側壁用断熱材１ｂと、補強材２とを重ねた三層構造になっていることが好ましい。
【００１１】
このように、補強材２を設けた部分が、浴槽側壁３ｂに、浴槽側壁用断熱材１ｂと補強材２とを重ねた三層構造となることで、補強材２を通して浴槽３の熱が放熱されることを、側壁用断熱材１ｂで防止することができる。
【発明の効果】
【００１２】
本発明は、補強材と、側壁用断熱材とを浴槽側壁に同時に取り付けることができるので、取り付け作業が１つになって効率が良いという効果がある。
【００１３】
また、補強材を設けた部分が、浴槽側壁に、浴槽側壁断熱材と補強材とを重ねた三層構造となることで、補強材を通して浴槽の熱が放熱されることを、側壁用断熱材で防止することができて、断熱性が良いという効果がある。
【図面の簡単な説明】
【００１４】
【図１】（ａ）は、本発明の実施形態１の断熱浴槽の分解斜視図である。（ｂ）は図１（ａ）の補強材を設けた部分の拡大斜視図である。
【図２】本発明の実施形態２の断熱浴槽の補強材を設けた部分の拡大斜視図である。
【図３】（ａ）は、従来の断熱浴槽の分解斜視図である。（ｂ）は、従来の他の断熱浴槽の分解斜視図である。
【発明を実施するための形態】
【００１５】
以下、本発明を示す実施形態に基づいて説明する。
【００１６】
実施形態１の断熱浴槽は、図１（ａ）に示すように浴槽側壁３ｂの上端に浴槽フランジ３ａを設けた浴槽３の裏面に、浴槽側壁３ｂを覆うための側壁用断熱材１ｂと、浴槽底面３ｃを覆うための底面用断熱材１ｃとを取り付けることで、形成されている。側壁用断熱材１ｂと、底面用断熱材１ｃは、一体成形されているものであっても良いし、別々に取付けるものであっても良い。側壁用断熱材１ｂは、上端面１ａが浴槽フランジ３ａに当接するように、接着剤や螺子等で、浴槽側壁３ｂの外面に重ねて取り付けられる。
【００１７】
側壁用断熱材１ｂの上部には、図１（ｂ）に示すように、補強材２が一体に設けられている。ここで、補強材２は、側壁用断熱材１ｂの上部から下部に亘って設けても良いが、補強材２の上端部が浴槽フランジ３ａに当接するように少なくとも上部には設けられている。補強材２の上端部には、側壁用断熱材１ｂから浴槽外側方向に突出するようフランジ支持部２ａが設けられている。また、補強材２の浴槽側壁３ｂに対向する部分には浴槽側壁対向部２ｂが設けられている。この補強材２を一体に設けた側壁用断熱材１ｂを、浴槽３の浴槽側壁３ｂの外面に重ねて取付け、補強材２のフランジ支持部２ａを浴槽フランジ３ａの下面に当接させ、浴槽側壁対向部２ｂを浴槽側壁３ｂに重ね合わせて取付けることで、浴槽フランジ３ａをフランジ支持部２ａで支持し、浴槽側壁３ｂを浴槽側壁対向部２ｂで支持し、浴槽フランジ３ａ及び浴槽側壁３ｂを補強している。
【００１８】
このような構成とすることで、側壁用断熱材１ｂを、浴槽側壁３ｂに重ねて取付けるだけで、補強材２と側壁用断熱材１ｂとを浴槽側壁３ｂに同時に取付けることができる。よって、取り付け作業が１つになって効率が良い。また、図３（ｂ）に示す従来例のように、浴槽側壁３ｂに補強材２を個別に取り付ける必要もなければ、側壁用断熱材１ｂに、予め補強材２用の空所４を設ける必要もないので、補強材２の浴槽３への取付位置がずれて、断熱材１が浴槽３に取り付けられなくなってしまうといったことを防止することができるので、組み立て性が良くなる。
【００１９】
ここで、図１（ｂ）に示すように、実施形態１の浴槽側壁対向部２ｂは、浴槽側壁３ｂに直接取付けられている。このようにフランジ支持部２ａと浴槽側壁対向部２ｂとが２辺をなす三角形状断面の補強材２で、浴槽フランジ３ａと浴槽側壁３ｂとを夫々、直接支持することで、強固に補強することができる。ここで、補強材２は、三角形状断面であったが、フランジ支持部２ａと浴槽側壁対向部２ｂとが、浴槽フランジ３ａと浴槽側壁３ｂとを夫々、直接支持する形状であれば、他の形状であっても良い。
【００２０】
また、補強材２は、フランジ支持部２ａと、浴槽側壁対向部２ｂとを除く部分が、側壁用断熱材１ｂで囲まれていて、補強材２を設けた部分が、浴槽側壁３ｂに、浴槽側壁用断熱材１ｂと、補強材２とを、補強材２、側壁用断熱材１ｂの順番で重ねた三層構造になっている。このように、補強材２を設けた部分が、三層構造になることで、補強材２を通して浴槽３の熱が放熱されることを、側壁用断熱材１ｂで防止することができる。
【００２１】
次に本発明の実施形態２に示す断熱浴槽は、図２に示すように、補強材２が、ある一定の厚みで、側壁用断熱材１ｂの浴槽外側面全面を覆うように一体に設けられている。補強材２の上端部の一部には、側壁用断熱材１ｂの浴槽外側面から浴槽外側方向にコ字状に突出するようフランジ支持部２ａが設けられている。フランジ支持部２ａの下部の補強材２は、フランジ支持部２ａを最突出端として、下方に行くにつれて、突出量を減らすように傾斜する構成となっている。ここで、補強材２の突出にあわせて側壁用断熱材１ｂも突出している。また、突出した補強材２の浴槽側壁３ｂに対向する部分には、浴槽側壁対向部２ｂが設けられている。この補強材２を一体に設けた側壁用断熱材１ｂを、浴槽３の浴槽側壁３ｂの外面に重ねて取付け、補強材２のフランジ支持部２ａを浴槽フランジ３ａの下面に当接させ、浴槽側壁対向部２ｂを、側壁用断熱材１ｂを介して、浴槽側壁３ｂに重ね合わせて取付けている。よって、側壁用断熱材１ｂの突出部の両端において、フランジ支持部２ａと浴槽側壁対向部２ｂとが２辺をなす三角形状断面の補強材２で、浴槽フランジ３ａを直接支持し、尚且つ、側壁用断熱材１ｂを介して浴槽側壁３ｂを支持することで、浴槽フランジ３ａと浴槽側壁３ｂを補強している。また、補強材２は側壁用断熱材１ｂの浴槽外側面全面を覆うような構成となっているので、浴槽フランジ３ａと浴槽側壁３ｂとを強固に支えることができる。
【００２２】
以上の構成とすることで、実施形態２においても、補強材２を設けた側壁用断熱材１ｂを、浴槽側壁３ｂに重ねて取付けるだけで、補強材２と側壁用断熱材１ｂとを浴槽側壁３ｂに同時に取付けることができる。よって、取り付け作業が１つになって効率が良い。また、図３（ｂ）に示す従来例のように、浴槽側壁３ｂに補強材２を個別に取り付ける必要もなければ、側壁用断熱材１ｂに、予め補強材２用の空所４を設ける必要もないので、補強材２の浴槽３への取付位置がずれて、断熱材１が浴槽３に取り付けられなくなってしまうといったことを防止することができるので、組み立て性が良くなる。
【００２３】
また、側壁用断熱材１ｂの浴槽外側面全面を覆うように一体に補強材２を設けた側壁用断熱材１ｂを、浴槽側壁３ｂに取付けているので、補強材２を設けた部分が、浴槽側壁３ｂに、浴槽側壁用断熱材１ｂと、補強材２とを、その順番で重ねた三層構造になっている。このように、補強材２を設けた部分が、三層構造になることで、浴槽３の熱が放熱されることを、側壁用断熱材１ｂで防止することができる。
【００２４】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００２５】
１    断熱材
１ａ  上端部
１ｂ  側壁用断熱材
１ｃ  底面用断熱材
２    補強材
２ａ  フランジ支持部
２ｂ  浴槽側壁対向部
３    浴槽
３ａ  浴槽フランジ
３ｂ  浴槽側壁
４    補強材配置用の空所
【図１】
2010273738.tif 000003
【図２】
2010273738.tif 000004
【図３】
2010273738.tif 000005